(57)【要約】【課題】簡易にかつ短時間で光ファイバの入射面におけるコアの位置を検出することができる位置検出システム、およびＬＤからの光を上記コアの位置に容易に位置合わせすることができ、さらには振動等の機械的条件の変化等の環境変化があっても高い性能を維持することのできる光通信装置および位置決め方法を提供すること。【解決手段】位置検出システムは、光源からの光が光ファイバの入射面上において形成するスポットを、第一の方向および該第一の方向に略直交する第二の方向に移動させる移動手段と、移動手段が入射面上においてスポットを走査させることにより、入射面によって反射した反射光の光量を検出する光量検出手段と、第一の方向と第二の方向のそれぞれについて少なくとも一回走査することによって検出された光量の変化に基づいて光ファイバの入射面上におけるコアの位置を検出する位置検出手段と、を有する構成にした。【選択図】    図１
2004151297.tif 000002
【特許請求の範囲】
【請求項１】
光源から照射され、情報が含められた信号光を、光ファイバを介して伝送する光通信装置の位置検出システムであって、
前記光源からの光が前記光ファイバの入射面上において形成するスポットを、第一の方向および該第一の方向とは異なる第二の方向に移動させる移動手段と、
前記移動手段が前記入射面上において前記スポットを走査させることにより、前記入射面によって反射した反射光の光量を検出する光量検出手段と、
前記第一の方向と前記第二の方向のそれぞれについて少なくとも一回走査することによって検出された光量の変化に基づいて前記光ファイバの前記入射面上におけるコアの位置を検出する位置検出手段と、を有することを特徴とする位置検出システム。
【請求項２】
請求項１に記載の位置検出システムにおいて、
各光量の変化は、走査時間あたりの変化であることを特徴とする位置検出システム。
【請求項３】
請求項２に記載の位置検出システムにおいて、前記位置検出手段は、
前記第一の方向における走査によって検出された光量の変化において、該光量が所定の閾値よりも高い値を採る時間を二等分する第一の走査時刻と、前記第二の方向における走査によって検出された光量の変化において、該光量が所定の閾値よりも高い値を採る時間を二等分する第二の走査時刻と、を求め、
前記第一の走査時刻に対応する第一の走査位置と、前記第二の走査時刻に対応する第二の走査位置とを決定することによって、入射面上における前記コアの位置を検出することを特徴とする位置検出システム。
【請求項４】
請求項１に記載の位置検出システムにおいて、
各光量の変化は、走査距離あたりの変化であることを特徴とする位置検出システム。
【請求項５】
請求項４に記載の位置検出システムにおいて、前記位置検出手段は、
前記第一の方向における走査によって検出された光量の変化において、該光量が所定の閾値よりも高い値を採る間隔を二等分する第一の走査位置と、前記第二の方向における走査によって検出された光量の変化において、該光量が所定の閾値よりも高い値を採る間隔を二等分する第二の走査位置と、を求め、
前記第一の走査位置と前記第二の走査位置を決定することによって、入射面上における前記コアの位置を検出することを特徴とする位置検出システム。
【請求項６】
前記所定の閾値は、前記コアによって反射した光の光量よりも低い値に設定されることを特徴とする請求項３または請求項５に記載の位置検出システム。
【請求項７】
請求項１から請求項６のいずれかに記載の位置検出システムにおいて、前記移動手段は、
前記光源からの光の光路中に配設され、該光を前記入射面に集光させる集光レンズと、
前記集光レンズを前記第一の方向に駆動する第一の駆動手段と、
前記集光レンズを前記第二の方向に駆動する第二の駆動手段と、を有することを特徴とする位置検出システム。
【請求項８】
請求項１から請求項７のいずれかに記載の位置検出システムにおいて、
前記光ファイバの入射面は、コアの反射率よりも高い反射率を有する領域をコア以外の領域に設けていることを特徴とする位置検出システム。
【請求項９】
請求項８に記載の位置検出システムにおいて、
前記入射面の少なくとも前記コアの近傍は、ミラー面になっていることを特徴とする位置検出システム。
【請求項１０】
情報が含められた信号光を照射する光源と、
前記信号光を伝送する光ファイバと、
請求項１から請求項９のいずれかに記載の位置検出システムと、
前記位置検出システムによって検出された前記光ファイバの入射面上におけるコアの位置に、光源からの光が入射するように、前記位置検出システム内の移動手段を駆動制御する制御手段と、を有することを特徴とする光通信装置。
【請求項１１】
請求項１０に記載の光通信装置において、
前記光ファイバの射出端側に前記コアから射出された光を検出する光量検出手段をさらに有することを特徴とする光通信装置。
【請求項１２】
光源からの光を、光ファイバを介して伝送する装置において、前記光の光ファイバへの入射位置を決める位置決め方法であって、
前記光源からの光が前記光ファイバの入射面上において形成するスポットを、第一の方向および該第一の方向に略直交する第二の方向に走査し、
前記走査により、前記入射面によって反射した反射光の光量を検出し、
前記第一の方向と前記第二の方向のそれぞれについて少なくとも一回の走査することによって検出された光量の変化に基づいて前記光ファイバ入射面上におけるコアの位置を検出し、
検出された前記コアの位置に光源からの光が入射するように前記光ファイバの入射面上における前記スポットの位置を決定する位置決め方法。
【請求項１３】
請求項１２に記載の位置決め方法において、前記コアの位置の検出は、
前記第一の方向における走査によって検出された光量の変化において、該光量が所定の閾値よりも高い値を採る時間を二等分する第一の走査時刻を求め、
前記第二の方向における走査によって検出された光量の変化において、該光量が所定の閾値よりも高い値を採る時間を二等分する第二の走査時刻を求め、
前記第一の走査時刻に対応する第一の走査位置と、前記第二の走査時刻に対応する第二の走査位置とを決定することによって実行される位置決め方法。
【請求項１４】
請求項１２に記載の位置決め方法において、前記コアの位置の検出は、
前記第一の方向における走査によって検出された光量の変化において、該光量が所定の閾値よりも高い値を採る間隔を二等分する第一の走査位置を求め、
前記第二の方向における走査によって検出された光量の変化において、該光量が所定の閾値よりも高い値を採る間隔を二等分する第二の走査位置を求め、
前記第一の走査位置と前記第二の走査位置を決定することによって実行される位置決め方法。
【発明の詳細な説明】
【０００１】
【発明の属する技術分野】
本発明は、光通信装置における半導体レーザ（以下、ＬＤと記す）と光ファイバとの位置検出の構成に関する。
【０００２】
【従来の技術】
光通信装置は、ＬＤで発光し情報による変調を施された光を光ファイバに伝達させる為の装置であり、ＬＤ、ＬＤからの光を集光させるレンズ、光ファイバ等の光学部品から構成される。光ファイバー通信を加入者宅内に引き込む回線終端装置（ＯＮＵ；Ｏｐｔｉｃａｌ  Ｎｅｔｗｏｒｋ  Ｕｎｉｔ）として使用される光通信モジュールでは、一般的に、送受信を一本の光ファイバで行う双方向型の通信に対応するため、光通信モジュール内にさらに受光素子や、異なる波長の光を分離するためのＷＤＭ（Ｗａｖｅｌｅｎｇｔｈ  Ｄｉｖｉｓｉｏｎ  Ｍｕｌｔｉｐｌｅｘ）フィルタ等が備えられる。
【０００３】
このような光通信モジュールでは、ＬＤからの光を光ファイバのコアの略中心に集光させるため、ＬＤは、コア径が数μｍの光ファイバに対して高精度で位置決めされる。そして通常、これらの光学部品は溶着あるいは接着剤を用いて堅固に固定される。従来の位置決め方法としては、例えば、下記の特許文献１に開示される。
【０００４】
【特許文献１】
特開平６−９４９４７号公報
【０００５】
特許文献１に開示される位置決め方法によれば、光ファイバから射出された光の光量を検出し、最も該光量が多い状態をもって、コアの略中心にＬＤからの光が入射していると判断する。
【０００６】
しかしながら、一般にファイバ入射面におけるコア部とクラッド部の境界を判別するのは困難である上、面積が小さいファイバ入射面自体に光を入射させることも困難である。そのため、光ファイバから射出された光の光量が検出されるまでＬＤと光ファイバの相対的な位置合わせを試行錯誤で繰り返さなければならず手間がかかり、時間的負担が大きかった。
【０００７】
さらに、接着剤を用いて部品の相互位置を高精度に位置決め固定することによって光通信モジュールを構成したとしても、次のような問題点が残される。第１に、上記のように光通信モジュールを製造した場合、接着剤の収縮や加工による部品の変形や破壊等がありうるため、接着後、乾燥した後でなければ製品の良否を判定できない点である。また、このような光通信モジュールで高い歩留まりを達成することは比較的難しいと考えられる。第２に、性能に経時変化があった場合、修正することが不可能であるという点である。
【０００８】
【発明が解決しようとする課題】
以上の諸事情に鑑み、簡易にかつ短時間で光ファイバの入射面におけるコアの位置を検出することができる位置検出システム、およびＬＤからの光を上記コアの位置に容易に位置合わせすることができ、さらには振動等の機械的条件の変化等の環境変化があっても高い性能を維持することのできる光通信装置および位置決め方法を提供することを目的とする。
【０００９】
【課題を解決するための手段】
上記目的を達成するために本願発明に係る位置検出システムは、光源から照射され、情報が含められた信号光を、光ファイバを介して伝送する光通信装置の位置検出システムであって、光源からの光が光ファイバの入射面上において形成するスポットを、第一の方向および該第一の方向とは異なる第二の方向に移動させる移動手段と、移動手段が入射面上においてスポットを走査させることにより、入射面によって反射した反射光の光量を検出する光量検出手段と、第一の方向と第二の方向のそれぞれについて少なくとも一回走査することによって検出された光量の変化に基づいて光ファイバの入射面上におけるコアの位置を検出する位置検出手段と、を有することを特徴とする。
【００１０】
請求項１に記載の発明によれば、短時間かつ簡易に光ファイバの入射面上におけるコアの位置を検出することができる。さらに、上記特許文献１に開示される方法では、高精度での位置決めが実行されるように、高価な超精密ステージ、ホルダー、さらには射出側に設けられる光検出器を高精度で保持する治具等が必要とされた。これらのステージ等は位置ずれしないように上記の各光学部品を堅固に固定する際にも必要とされる。従って、特許文献１に例示される従来の位置決めシステムは高価かつ複雑な構成になっていた。しかし、請求項１に記載の発明によれば、超精密なステージ等は不要となり、簡素かつ安価な位置検出システムが提供される。
【００１１】
ここで、上記の光量の変化とは、走査時間あたりの変化と捉えることができる（請求項２）。この場合、上記位置検出手段は、第一の方向における走査によって検出された光量の変化において、該光量が所定の閾値よりも高い値を採る時間を二等分する第一の走査時刻と、第二の方向における走査によって検出された光量の変化において、該光量が所定の閾値よりも高い値を採る時間を二等分する第二の走査時刻と、を求め、第一の走査時刻に対応する第一の走査位置と、第二の走査時刻に対応する第二の走査位置とを決定することによって、入射面上におけるコアの位置を検出することができる（請求項３）。
【００１２】
また、上記光量の変化とは、走査距離あたりの変化を捉えることもできる（請求項４）。この場合、上記位置検出手段は、第一の方向における走査によって検出された光量の変化において、該光量が所定の閾値よりも高い値を採る間隔を二等分する第一の走査位置と、第二の方向における走査によって検出された光量の変化において、該光量が所定の閾値よりも高い値を採る間隔を二等分する第二の走査位置と、を求め、第一の走査位置と前記第二の走査位置を決定することによって、入射面上におけるコアの位置を検出することができる（請求項５）。
【００１３】
ここで、所定の閾値は、コアによって反射した光の光量よりも低い値に設定するとよい（請求項６）。これにより、たとえ走査により反射率の比較的低いコアを通過したとしても第一の走査位置や第二の走査位置の決定には何ら支障が生じない。
【００１４】
上記移動手段としては、光源からの光の光路中に配設され、該光を入射面に集光させる集光レンズを第一の方向および第二の方向に移動させることが考えられる。すなわち、請求項７に記載の発明によれば、上記移動手段は、該集光レンズと、集光レンズを第一の方向に駆動する第一の駆動手段と、集光レンズを第二の方向に駆動する第二の駆動手段と、を有することが望ましい。
【００１５】
上記各発明の実効性を高め、誤差のより少ない位置検出を可能にするために、上記光ファイバの入射面は、コアの反射率よりもコア以外の領域の反射率のほうが高くなるように構成される（請求項８）。例えば、前記入射面の少なくとも前記コアの近傍は、ミラー面にするのが好ましい（請求項９）。
【００１６】
上記の各位置検出システムと、位置検出システムによって検出された光ファイバの入射面上におけるコアの位置に、光源からの光が入射するように、位置検出システム内の移動手段を駆動制御する制御手段と、を有する光通信装置であれば、ＬＤからの光を入射面上におけるコアの位置に容易に位置合わせすることができる。また該光通信装置であれば、簡素な構成でコアの位置検出およびＬＤからの光の入射面上における位置決めが可能になる。さらに、従来の構成のように超精密なステージ等極めて精度の高い部材が不要となり、いつでも位置調整が可能となるため、振動等の機械的条件の変化等の環境変化があっても高い性能を維持することのできる光通信装置が提供される。
【００１７】
請求項１１に記載の光通信装置によれば、さらに、上記光ファイバの射出端側にコアから射出された光を検出する光量検出手段をさらに有することが望ましい。該光量検出手段を設けることにより、光源からの光が入射面上において形成するスポットの位置がコアの位置と一致しているかどうかを確認することが可能となる。
【００１８】
請求項１２に記載の位置決め方法は、光源からの光を、光ファイバを介して伝送する装置において、前記光の光ファイバへの入射位置を決める位置決め方法に関する。該位置決め方法は、光源からの光が前記光ファイバの入射面上において形成するスポットを、第一の方向および該第一の方向に略直交する第二の方向に走査し、走査により、入射面によって反射した反射光の光量を検出し、第一の方向と前記第二の方向のそれぞれについて少なくとも一回の走査することによって検出された光量の変化に基づいて光ファイバ入射面上におけるコアの位置を検出し、検出されたコアの位置に光源からの光が入射するように光ファイバの入射面上におけるスポットの位置を決定する。
【００１９】
請求項１２に記載の位置決め方法において、コアの位置検出は、第一の方向における走査によって検出された光量の変化において、該光量が所定の閾値よりも高い値を採る時間を二等分する第一の走査時刻を求め、第二の方向における走査によって検出された光量の変化において、該光量が所定の閾値よりも高い値を採る時間を二等分する第二の走査時刻を求め第一の走査時刻に対応する第一の走査位置と、第二の走査時刻に対応する第二の走査位置とを決定することによって実行することができる（請求項１３）。
【００２０】
または、上記コアの検出は、第一の方向における走査によって検出された光量の変化において、該光量が所定の閾値よりも高い値を採る間隔を二等分する第一の走査位置を求め、第二の方向における走査によって検出された光量の変化において、該光量が所定の閾値よりも高い値を採る間隔を二等分する第二の走査位置を求め、第一の走査位置と前記第二の走査位置を決定することによっても実行することができる（請求項１４）。
【００２１】
【発明の実施の形態】
図１は、本発明の第１の実施形態としての位置検出システム１０の構成を表す図である。位置検出システム１０は、光通信モジュールの一部を構成する。光通信モジュールは、光ファイバー通信を加入者宅内に引き込むＯＮＵとして用いられ、例えば、一本の光ファイバで上り信号として波長１．３μｍを送信し、下り信号として１．５μｍの信号を受信するように構成された、双方向のＷＤＭ伝送に対応した光通信モジュールである。
【００２２】
送信用の信号光の光源であるレーザＬＤは面発光レーザであり、送信用の情報によって変調されるように構成されている。レーザＬＤ、第一集光レンズ２、および光ファイバ３は、共通の光軸上に配置され、レーザＬＤで発光された波長１．３μｍの送信光は、第一集光レンズ２によって光ファイバ３の入射面３ａに向けて集光される。集光された送信光は、光ファイバを介して受信側の光通信モジュール（不図示）に伝送される。
【００２３】
以下、光ファイバ３の入射面３ａに入射する送信用の信号光の位置を決めるための位置検出システム１０に関して説明する。本実施形態の位置検出システム１０は、上記のレーザＬＤ、第一集光レンズ２、および光ファイバ３と、第二集光レンズ４、第一光検出器５、コントローラ６、アクチュエータ７を備える。なお、位置検出および位置決めは、光通信モジュール製造時の初期調整で行われるだけでなく、光通信モジュールの電源投入時や所定の操作に応じて定期的にまたは任意に実行される。
【００２４】
第二集光レンズ４は、光ファイバ３の入射面３ａによって反射した光を集光し、第一光検出器５に導く。第一光検出器５は、入射する光の光量変化に関する光量データをコントローラ６に送信する。
【００２５】
コントローラ６は、アクチュエータ７を介して第一集光レンズ２を駆動制御することにより、光ファイバ３の入射面３ａ上において光を走査させることができる。ここで、アクチュエータ７は、コントローラ６の制御下、第一集光レンズ２を、該レンズ２の光軸に垂直な面内の一つの軸方向（Ｘ方向）および該Ｘ方向と直交するＹ方向で移動させる。つまり、第一集光レンズ２から射出された光は、該レンズ２の駆動する方向に応じて入射面３ａ上をＸ方向またはＹ方向に走査する。
【００２６】
上記構成を用いて、レーザＬＤからの光を入射面３ａ内におけるコア３ｃに入射させるための位置決めについての動作原理を以下詳説する。
【００２７】
図２は、位置検出システム１０の動作原理の説明図である。図２Ａは、光ファイバ３の入射面３ａの断面を示す。図２Ａに示すように、入射面３ａは、クラッド３ｂ、コア３ｃを備える。クラッド３ｂの略全域には、反射率を高めるためにミラー面３ｄが蒸着されている。なお、図２Ａに示すように、第一集光レンズを介して入射してミラー面３ｄによって反射する光を第二集光レンズ４（光検出器５）に導くため、光ファイバ３は、入射面３ａとレーザＬＤから照射された光の光路とが直交しないように配設される。本実施形態では、光ファイバ３の延出方向と直交する面以外の面で切断した光ファイバ３を使用することにより、光ファイバ３を水平に配設したときに入射面３ａが該光路と直交しないようにしている。これにより、入射面３ａで反射した光が入射面３ａに入射する光の光路と同一経路を進むことが無くなり、光分岐素子等の光学部材を該光路中に配設する必要が無くなる。
【００２８】
位置決め処理が開始されると、まずコントローラ６が、アクチュエータ７を介して第一集光レンズ２をＸ方向に移動させる。これにより、レーザＬＤからの光が形成するビームスポットＳは、所定の走査開始位置ｘ０から入射面３ａ上をＸ方向に走査する。入射面３ａにおいて、クラッド３ｂに蒸着されたミラー面３ｄにより反射したレーザＬＤからの光は、第二集光レンズ４を介して第一光検出器５に入射する。なお本明細書では、説明の便宜上、スポットＳの走査速度は等速であるとする。
【００２９】
図２Ｂは、入射面３ａ上で光をＸ方向に走査したときに第一光検出器５によって検出される光量の変化を表すグラフである。図２Ｂにおいて、縦軸が検出される光量を、横軸が時間を、それぞれ表す。図２Ａ、Ｂに示すように、ビームスポットＳがミラー面３ｄ上を走査している間は、第一光検出器５が検出する光量も多くなる。
【００３０】
なお該走査時のビームスポットＳのＹ方向における位置ｙｒｅｆは、走査中のビームスポットＳが入射面３ａを通過するような位置、つまり第一光検出器５によって検出される光量が図２Ｂのような変化を示す位置であれば、どの位置であってもよい。例えば、ビームスポットＳを走査するごとに、ビームスポットＳのＹ方向における位置を所定の間隔をおいてシフトさせて、図２Ｂに示すような光量変化が現れた位置を位置ｙｒｅｆとしてもよい。または、前回の位置決め処理時におけるビームスポットＳの位置を再び位置ｙｒｅｆとしてもよい。
【００３１】
また、ビームスポットＳが走査する幅は、第一光検出器５によって検出される光量の変化が明確に現れるために十分な幅に設定される。すなわち、本実施形態では、クラッド３ｂの略全域にミラー面３ｄを設けているため、少なくとも入射面３ａの直径にビームスポット２つ分を加えた幅が必要となる。
【００３２】
コントローラ６は、第一光検出器５から送信される光量データに基づいて入射面３ａにおいてコア３ｃのＸ方向における位置を設定する。Ｘ方向における位置の推定は以下のようにして行われる。図２Ｂにおいて、走査開始時刻をｔ０、該走査開始時刻ｔ０から起算して、検出光量が所定の閾値を上回った時刻をｔ１、該検出光量が所定の閾値を下回った時刻をｔ２とする。なお、上記の所定の閾値は、コア３ｃ上を走査した時に検出される光量よりも低い値に設定される。まず検出光量が所定の閾値よりも高い時間Ｐ１を求める。時間Ｐ１は、時刻ｔ１から時刻ｔ２までの時間でもある。そして、時間Ｐ１を１／２した時間Ｐ２に時刻ｔ０から時刻ｔ１までの時間Ｐ３を加算した時間Ｐ４を求める。
【００３３】
光ファイバ３は、延出する方向と直交する面内での断面形状が略円形状であり、コア３ｃが該略円形状の中心部に位置する。従ってコントローラ６は、走査開始時刻ｔ０から時間Ｐ４だけ経過した時刻ｔｘにおけるビームスポットＳの位置ｘｃをコア３ｃのＸ方向における位置と決定する。
【００３４】
コア３ｃのＸ方向における位置ｘｃを決定すると、コントローラ６は、上述した該位置ｘｃの決定と同様の方法をもって、コア３ｃのＹ方向における位置ｙｃを決定する。
【００３５】
コントローラ６は、上記のようにしてコア３ｃの入射面３ａ上での位置（ｘｃ、ｙｃ）を検出すると、第一集光レンズ２を駆動してコア３ｃにビームスポットＳが位置するようにレーザＬＤからの光の入射面３ａにおける入射位置を決定する。例えば、走査開始位置ｘ０から時間Ｐ４だけＸ方向に走査して、光のＸ方向における入射位置を位置ｘｃに合わせる。次いで、位置ｘｃ上において同様にして光のＹ方向における入射位置を位置ｙｃに合わせる。これにより、レーザＬＤから射出され、第一集光レンズ２を介して入射する光の入射面３ａにおける入射位置は、コア３ｃの位置（ｘｃ、ｙｃ）に一致する。
【００３６】
なお、本実施形態の光通信モジュールでは、光ファイバ３の射出端側に第二光検出器８を設けている。第二光検出器８によりコア３ｃから射出された光を検出することにより、コントローラ６は、コア３ｃにレーザＬＤからの光が導かれているかどうかを確認することが可能となる。そして、必要に応じて、第一集光レンズを駆動制御してレーザＬＤからの光の入射面３ａ上での入射位置を微調整する。これにより、レーザＬＤからの光のコア３ｃに対する位置決めがより正確に行われる。ここで、位置検出システム１０は、第二光検出器８が光伝送の妨げとならないような配置構成をとる。例えば、光ファイバ３にファイバカプラを設けたり、コア３ｃから射出された光の光路上に光分岐素子（ビームスプリッタ等）を配設したりして、コア３ｃを通る光の一部を第二光検出器８に導く構成にしている。
【００３７】
但し、第二光検出器８は、初期調整時にのみ光通信モジュール内に設けられ、位置決め処理が完了すると取りはずされるような、着脱自在な構成にしてもよい。さらには、位置検出システム１０をより簡素かつ安価な構成にする、あるいは位置決め処理に要する時間を短縮するのであれば、第二光検出器８は設けなくてもよい。
【００３８】
以上が、位置検出システム１０を使用したＬＤからの光の入射面３ａ上での位置決めに関する動作原理である。上記の実施形態では、コア３ｃ以外領域の反射率を高めるために、クラッド３ｂの略全域にミラー面３ｄを設けている。クラッド３ｂの略全域にミラー面３ｄを設ければ、入射面３ａの加工が簡易に行われるという利点がある。ここで光ファイバ３は、ミラー面をクラッド３ｂの略全面に設けるのではなく、コア３ｃ周辺にのみミラー面を設けることも可能である。このように光ファイバ３を加工すると、コア３１ｃの位置（ｘｃ、ｙｃ）検出時に行われる走査に要する時間、換言すれば走査幅を短縮することができる。よって、位置決め処理を迅速に行うことができる。
【００３９】
なお、上記実施形態では、コアの位置を検出するために、Ｘ方向、Ｙ方向ともに一回ずつ走査している。ここで、各方向における走査の回数を適宜増やすことも可能である。この場合、各走査で得られた走査時刻の平均値を求めて、該平均値に対応する位置をコア３１ｃの位置ｘｃ、または位置ｙｃと決定すればよい。これにより、より精度の高いコア３ｃの位置検出が可能になる。
【００４０】
また、上記実施形態では、コントローラ６は、走査時間あたりの光量変化に基づいてコア３ｃの位置を求めているが、他の方法によってコア３ｃの位置を求めることも可能である。例えば、第一光検出器５にＣＣＤセンサ等を使用すれば、走査開始位置からの距離あたりの光量変化に基づいてコア３ｃの位置を求めることも可能である。
【００４１】
【発明の効果】
以上説明したように本発明によれば、短時間で光ファイバのコアの位置を検出することができ、送信用の信号光の光ファイバの入射面上での入射位置を該コアに一致するように位置決めすることができる。
【図面の簡単な説明】
【図１】本発明の実施形態の位置検出システムの概略構成を表す図である。
【図２】本発明の実施形態の位置検出システムの動作原理の説明図である。
【符号の説明】
２  集光レンズ
３  光ファイバ
３ａ  入射面
３ｂ  クラッド
３ｃ  コア
３ｄ  ミラー面
５  第一光検出器
６  コントローラ
１０  位置検出システム
【図１】
2004151297.tif 000003
【図２】
2004151297.tif 000004